(57)【要約】  【課題】不必要な周波数成分のエネルギを後段に入力しないような構成のフィルタ回路を提供すること。  【解決手段】本発明にかかるフィルタ回路は、入力される非平衡信号を平衡信号に変換する変換用トランス回路と、該変換用トランス回路から出力される平衡信号の一方の信号線に接続されたフィルタと、該フィルタの出力信号と前記平衡信号の他方の信号線からの信号とを加算して出力する加算用トランス回路とを備え、当該フィルタ回路の特性として、前記フィルタの特性の逆の特性が得られるようにした。【選択図】      図１
2007180909.tif 000002
【特許請求の範囲】
【請求項１】
入力される非平衡信号を平衡信号に変換する変換用トランス回路と、
該変換用トランス回路から出力される平衡信号の一方の信号線に接続されたフィルタと、
該フィルタの出力信号と、前記平衡信号の他方の信号線からの信号とを加算して出力する加算用トランス回路とを備えたことを特徴とするバランス型フィルタ回路。
【請求項２】
入力される平衡信号の一方の信号線に接続されたフィルタと、
該フィルタの出力信号と、前記平衡信号の他方の信号線からの信号とを加算して出力する加算用トランス回路とを備えたことを特徴とするバランス型フィルタ回路。
【請求項３】
前記フィルタは、帯域通過型フィルタとしたことを特徴とする請求項１または２のいずれか１項に記載のバランス型フィルタ回路。
【請求項４】
前記フィルタは、帯域阻止型フィルタとしたことを特徴とする請求項１または２のいずれか１項に記載のバランス型フィルタ回路。
【発明の詳細な説明】
【技術分野】
【０００１】
本発明は、平衡信号もしくは平衡信号に変換した信号のフィルタリングに用いるバランス型フィルタ回路に関するものである。
【背景技術】
【０００２】
従来のバランス型でないフィルタ回路においては、全ての帯域のエネルギは後段の回路・素子に入力されるように構成されている。
【発明の開示】
【発明が解決しようとする課題】
【０００３】
従来のバランス型でないフィルタ回路においては、全ての帯域のエネルギは後段の回路・素子に入力されるので、後段の回路・素子が飽和してダイナミックレンジが小さくなるという問題があった。
【０００４】
そこで、本発明は、不必要な周波数成分のエネルギを後段に入力しないような構成のフィルタ回路を提供することを目的としてなされたものである。
【課題を解決するための手段】
【０００５】
本発明にかかるフィルタ回路の請求項１においては、入力される非平衡信号を平衡信号に変換する変換用トランス回路と、該変換用トランス回路から出力される平衡信号の一方の信号線に接続されたフィルタと、該フィルタの出力信号と、前記平衡信号の他方の信号線からの信号とを加算して出力する加算用トランス回路とを備えた。
請求項２では、入力される平衡信号の一方の信号線に接続されたフィルタと、該フィルタの出力信号と、前記平衡信号の他方の信号線からの信号とを加算して出力する加算用トランス回路とを備えた。
請求項３では、前記フィルタは、帯域通過型フィルタとした。
請求項４では、前記フィルタは、帯域阻止型フィルタとした。
【発明の効果】
【０００６】
本発明にかかるフィルタ回路によれば、平衡信号の一方の信号線にのみフィルタを接続し、他方の信号線にはフィルタを接続せずに、加算用トランス回路で加算するので、前記フィルタの逆の特性を得ることができる。
【発明を実施するための最良の形態】
【０００７】
以下に、本発明にかかるフィルタ回路を実施するための最良の形態を示した図面を参照しながら詳細に説明する。
図１に図示した高周波信号回路Ａにおいて、１は前段の第１高周波回路、２は本発明に基づくフィルタ回路、３は後段の第２高周波回路である。前記第１高周波回路１からは非平衡信号ａが出力され、この非平衡信号ａは前記フィルタ回路２に入力されてフィルタリングされ、前記第２高周波回路３へ入力される。
【０００８】
前記第１高周波回路１から出力される非平衡信号ａには周波数ｆ１の高周波成分Ｆ１と、周波数ｆ２（＞ｆ１）の高周波成分Ｆ２と、周波数ｆ３（＞ｆ２）の高周波成分Ｆ３とが含まれている。
【０００９】
前記フィルタ回路２は、
入力される非平衡信号ａを平衡信号ｂに変換する変換用トランス回路２１と、
該変換用トランス回路２１から出力される平衡信号ｂの一方の信号線ｗ１に接続されたフィルタ２２と、
該フィルタ２２の出力信号ｃと、前記平衡信号ａの他方の信号線ｗ２からの信号ｄとを加算して出力する加算用トランス回路２３とを備えたバランス型フィルタ回路である。
【００１０】
前記変換用トランス回路２１の２次側巻線のタップＴ１１には前記信号線ｗ１が接続され、タップＴ１２には前記信号線ｗ２が接続され、中点タップＴ１３はアース接続され、図２に例示したように、前記信号線ｗ１と信号線ｗ２には逆相の信号が出力されて平衡信号となるように構成されている。
前記加算用トランス回路２３の１次側巻線は、前記フィルタ２２の出力信号ｃと、前記平衡信号ａの他方の信号線ｗ２からの信号ｄとを同相で加算するように構成されている。加算された信号は２次側巻線から、前記第２高周波回路３へ出力されるように構成されている。
【００１１】
なお、この実施形態では、前記フィルタ２２は、周波数周波数ｆ２（＞ｆ１）の高周波成分Ｆ２を通過させるような帯域通過特性とする。
【００１２】
以上の構成のフィルタ回路２を備えた高周波信号回路Ａにおいて、
前記第１高周波回路１から出力される非平衡信号ａには前記高周波成分Ｆ１、高周波成分Ｆ２、および高周波成分Ｆ３が含まれているが、前記フィルタ回路２の信号線ｗ１に接続されたフィルタ２２の帯域通過特性によって、信号線ｗ１においては、高周波成分Ｆ１と高周波成分Ｆ３とは通過阻止され、周波数ｆ２の高周波成分Ｆ２は阻止されずに通過し、前記出力信号ｃとして前記加算用トランス回路２３のタップＴ２１へ出力される。一方、信号線ｗ２においては、フィルタは接続されていないので、各高周波成分Ｆ１、高周波成分Ｆ２、および高周波成分Ｆ３は全て阻止されずに通過し、前記信号ｄとして前記加算用トランス回路２３のタップＴ２２へ出力される。
【００１３】
前記出力信号ｃと前記信号ｄとは、前記加算用トランス回路２３において、同相で加算されるので、逆相成分は前記加算用トランス回路２３の１次巻線にて互いにキャンセルし合って２次巻線からは出力されず、同相成分のみが２次巻線から出力される。従って、前記信号線ｗ１と信号線ｗ２の両方で阻止されずに通過する高周波成分Ｆ２は、前記加算用トランス回路２３の１次巻線にて互いにバランスするのでキャンセルし合って２次巻線から出力されない。一方、信号線ｗ１では阻止され、信号線ｗ２では阻止されない高周波成分Ｆ１と高周波成分Ｆ３とは、前記加算用トランス回路２３の１次巻線にてキャンセルされないので、２次巻線から出力される。
このようにして、前記フィルタ回路２の特性は、帯域通過特性である前記フィルタ２２の逆の特性である帯域阻止特性となるのである。
【００１４】
以上の実施形態においては、前記フィルタ２２の特性を帯域通過特性としたので、前記フィルタ回路２の特性は帯域阻止特性となったが、前記フィルタ２２の特性を帯域阻止特性とすれば、前記フィルタ回路２の特性は帯域通過特性となる。従って、前記フィルタ２２の特性を高域通過特性とすれば、前記フィルタ回路２の特性は低域通過特性となり、前記フィルタ２２の特性を低域通過特性とすれば、前記フィルタ回路２の特性は高域通過特性となる。
【００１５】
このようにして、本発明のフィルタ回路２によれば、用いるフィルタ２２の周波数特性の逆の特性を得ることができる。従って、従来のバランス型でないフィルタ回路では入力される全ての帯域のエネルギが後段の回路に入力されていたが、本発明のフィルタ回路２によれば、用いるフィルタ２２における通過帯域または阻止帯域以外の周波数成分のエネルギを後段の第２高周波回路３に与えないようにすることができる。従って、後段の第２高周波回路３が飽和することを防ぎ、ダイナミックレンジを改善することができる。
以上の実施形態においては、高周波回路における例を示したが、低周波回路においても同様の特性が得られる。
なお、入力される信号が平衡信号であれば、前記変換用トランス回路２１を省略することができる。
【実施例１】
【００１６】
実施例１のフィルタ回路２においては、図１と同様の構成において、入力信号の周波数帯域を１４ＭＨｚ〜２４ＭＨｚとし、フィルタ２２の特性を共振周波数が１８．４ＭＨｚの帯域阻止特性とした。このフィルタ回路２では共振周波数が１８．４ＭＨｚの帯域通過特性が得られた。
【実施例２】
【００１７】
加算用トランス回路は、図３に示した実施例２のフィルタ回路２Ｂにおける加算用トランス回路２３Ｂのように表すこともできる。図中において、図１と同符号を付したものは図１に関する説明と同様であるので、ここではその説明を省略する。
【実施例３】
【００１８】
実施例３のフィルタ回路２Ｃでは、図４に示したように、用いるフィルタ２２Ｃをバイパスさせるバイパス回路２４Ｃを設けた。このバイパス回路２４は、前記フィルタ２２Ｃの入力側と出力側とを短絡線２４１に切り換えるスイッチ回路２４２を備えたものである。前記バイパス回路２４を作動させて前記フィルタ２２Ｃの入力側と出力側とを短絡線２４１に切り換えると、前記フィルタ２２Ｃがバイパスされるので、加算用トランス回路２３Ｃの１次巻線においては全帯域の周波数成分が互いにバランスしてキャンセルし合い、２次巻線からはいずれの周波数成分も出力されない。
従って、前記バイパス回路２４の作動／非作動を制御することによって、当該フィルタ回路２Ｃからはいずれの周波数成分も出力されないという全帯域阻止特性と、用いるフィルタ２２Ｃの逆の特性との何れかの特性を選択することができる。
また、必要に応じては、前記フィルタ２２Ｃの出力信号を増幅する増幅手段を付加して利得を補ってもよい。図中において、図１と同符号を付したものは図１に関する説明と同様であるので、ここではその説明を省略する。
【産業上の利用可能性】
【００１９】
本発明のフィルタ回路は、無線通信機等に限らず種々の周波数成分を含んだ信号を処理する装置に利用することができる。
【図面の簡単な説明】
【００２０】
【図１】本発明にかかるフィルタ回路の実施形態のブロック図である。
【図２】平衡信号を説明する図である。
【図３】実施例２のフィルタ回路のブロック図である。
【図４】実施例３のフィルタ回路のブロック図である。
【符号の説明】
【００２１】
Ａ  高周波信号回路
１  第１高周波回路
２  フィルタ回路
２１  変換用トランス回路
２２  フィルタ
２３  加算用トランス回路
３  第２高周波回路
ａ  非平衡信号
ｂ  平衡信号
ｃ  出力信号
ｄ  信号
ｗ１  一方の信号線
ｗ２  他方の信号線
２Ｂ  フィルタ回路
２３Ｂ  加算用トランス回路
２Ｃ  フィルタ回路
２２Ｃ  フィルタ
２３Ｃ  加算用トランス回路
【図１】
2007180909.tif 000003
【図２】
2007180909.tif 000004
【図３】
2007180909.tif 000005
【図４】
2007180909.tif 000006